(57)【要約】【課題】犬や猫、その他のペット等の記念品を飾り、あるいは亡くなったペットの遺骨や遺毛を祀り、さらに装飾物を装飾用として収納することができる遺品収納用モニュメントを提供することを目的とする。【解決手段】記念品等を収納した保護ケースを収納する凹部を備えた安定用の台座と、この台座上において前記凹部を覆うように保持され、前記保護ケース上に搭載した装飾物を外から見えるようにした透明カバーとを備え、該透明カバーは前記台座の凹部周壁に形成した弾性リングを介して着脱自在にはめ込まれていることを特徴とする遺品収納用モニュメント。【選択図】図１２
0003216055.tif 000002
【実用新案登録請求の範囲】
【請求項１】
記念品等を収納した保護ケースを収納する凹部を備えた安定用の台座と、この台座上において前記凹部を覆うように保持され、前記保護ケース上に搭載した装飾物を外から見えるようにした透明カバーとを備え、該透明カバーは前記台座の凹部周壁に形成した弾性リングを介して着脱自在にはめ込まれていることを特徴とする遺品収納用モニュメント。
【請求項２】
前記記念品等を収納した保護ケースは、容器本体と容器本体の外周に沿ってはめ込まれる側壁を有する蓋とを備え、前記容器本体の外周に形成されたフランジ部に前記蓋の下端を係合して保護ケース内の容積を増やしあるいは調節することができるようにしたことを特徴とする請求項１に記載の遺品収納用モニュメント。
【請求項３】
前記容器本体の外周に形成されたフランジ部は、前記容器本体の外周に形成した弾性リングからなることを特徴とする請求項２に記載の遺品収納用モニュメント。
【請求項４】
前記装飾物は、プリザーブドフラワー、生花又は造化等であることを特徴とする請求項１ないし３のいずれかに記載の遺品収納用モニュメント。
【請求項５】
前記透明カバーは、その下部に棚部が内蔵されており、装飾物の負荷を棚部で受け止めて保護ケースには負荷が掛からないようにしたことを特徴とする請求項１ないし４のいずれかに記載の遺品収納用モニュメント。
【請求項６】
前記記念品等を収納した保護ケースを収納する凹部を備えた安定用の台座は、前記凹部の下部にさらに予備凹部を備え、前記凹部と予備凹部との段差に中板を保持させたことを特徴とする請求項１ないし５のいずれかに記載の遺品収納用モニュメント。
【考案の詳細な説明】
【技術分野】
【０００１】
本考案は、犬や猫、その他のペット等の記念品を飾り、あるいは亡くなったペットの遺骨や遺毛を祀り、さらに装飾物を装飾用として収納することができる遺品収納用モニュメントに関する。
【背景技術】
【０００２】
従来、犬や猫、その他のペット等の記念品を飾ることが行われており、ペット等が亡くなった場合には、その記念品を拝んでペット等の思いを偲ぶことが行われている。
【０００３】
従来、犬や猫、その他のペット等の記念品を飾る遺品収納用モニュメントとしては、意匠登録第１５３８８２５号公報（特許文献１参照）のような、室内に設置することを目的とした墓石がある。
この墓石は、台座部と石碑部から構成されており、骨壺等を収納する空間が石碑部の内部に設けられていて、前記空間に骨壺等を収納し、室内における埋葬を可能とするものである。
この墓石の使用方法及び特徴は、台座部に設けられた丸形の凹部に骨壺等を設置し、前記設置した骨壺等に覆い被せるように石碑部を設置している。石碑部は、骨壺等が石碑部の空間に収まり、かつ石碑部の凸部が台座部に設けられた四角形の凹部と緩嵌するように設置されるものであり、石碑部が動き、前記空間内部が骨壺等に接触して、骨壺等に傷がつくことを防ぐようになっている。
【先行技術文献】
【特許文献】
【０００４】
【特許文献１】意匠登録第１５３８８２５号公報
【考案の概要】
【考案が解決しようとする課題】
【０００５】
しかしながら前記墓石は、台座部と石碑部から構成されており、骨壺等を収納する空間が石碑部の内部に設けられていて、前記空間に骨壺等を収納し、室内における埋葬を目的とするに過ぎないものであり、室内等における置物としての美観に欠けるといわざるを得ないものであった。
【０００６】
本考案は、上記の点に鑑みてなされたもので、犬や猫、その他のペット等の記念品を飾り、あるいは亡くなったペットの遺骨や遺毛を祀り、さらに装飾物を装飾用として収納することができる遺品収納用モニュメントを提供することを目的とする。
【課題を解決するための手段】
【０００７】
前記目的を達成するために、請求項１の考案は、記念品等を収納した保護ケースを収納する凹部を備えた安定用の台座と、この台座上において前記凹部を覆うように保持され、前記保護ケース上に搭載した装飾物を外から見えるようにした透明カバーとを備え、該透明カバーは前記台座の凹部周壁に形成した弾性リングを介して着脱自在にはめ込まれていることを特徴とするものである。
【０００８】
請求項２の考案において、前記記念品等を収納した保護ケースは、容器本体と容器本体の外周に沿ってはめ込まれる側壁を有する蓋とを備え、前記容器本体の外周に形成されたフランジ部に前記蓋の下端を係合して保護ケース内の容積を増やしあるいは調節することができるようにしたことをも特徴とするものである。
【０００９】
請求項３の考案において、前記容器本体の外周に形成されたフランジ部は、前記容器本体の外周に形成した弾性リングからなることをも特徴とするものである。
【００１０】
請求項４の考案において、前記装飾物は、プリザーブドフラワー、生花又は造化を含むものであることをも特徴とするものである。
【００１１】
請求項５の考案において、前記透明カバーは、その下部に棚部が内蔵されており、装飾物の負荷を棚部で受け止めて保護ケースには負荷が掛からないようにしたことをも特徴とするものである。
【００１２】
請求項６に考案において、前記記念品等を収納した保護ケースを収納する凹部を備えた安定用の台座は、前記凹部の下部にさらに予備凹部を備え、前記凹部と予備凹部との段差に中板を保持させたことをも特徴とするものである。
【考案の効果】
【００１３】
請求項１の考案によれば、記念品等を収納した保護ケースを収納する凹部を備えた安定用の台座と、この台座上において前記凹部を覆うように保持され、前記保護ケース上に搭載した装飾物を外から見えるようにした透明カバーとを備えているので、室内等の置物としての用途に適しており、またこの遺品収納用モニュメントを拝むことで心情的にも亡くなったペット等を身近に偲ぶことができる。
【００１４】
請求項２の考案によれば、前記記念品等を収納した保護ケースは、容器本体と容器本体の外周に沿ってはめ込まれる側壁を有する蓋とを備え、前記容器本体の外周に形成されたフランジ部に前記蓋の下端を係合して保護ケース内の容積を変えることができるので、収納スペースを大幅に増やしあるいは調節することが可能となった。
【００１５】
請求項３の考案によれば、前記容器本体の外周に形成されたフランジ部は、前記容器本体の外周に形成した弾性リングからなり、前記フランジ部を適宜位置において容易に着脱することができ、内容物のサイズの変化にも迅速に対応することが可能となった。
【００１６】
請求項４の考案によれば、装飾物により遺品収納用モニュメントを常時室内等に飾ることができる。
さらに、プリザーブドフラワーは、６〜７年位はほぼ生花に近い状態でその花の美しさを保つので、長期間装飾物を交換することなく美しい状態で遺品収納用モニュメントを飾ることができる。
【００１７】
請求項５の考案によれば、前記透明カバーは、その下部に着脱可能な棚部を備え、装飾物の負荷が保護ケースに掛からないようにしてあり、保護ケースや内部の記念品を確実に守ることができる。
【００１８】
請求項６の考案によれば、前記記念品等を収納した保護ケースを収納する凹部を備えた安定用の台座は、前記凹部の下部にさらに予備凹部を備え、前記凹部と予備凹部との段差に中板を保持させたため、より貴重な記念品類を予備凹部に収納することができ、記念品を分類して収納するのに適した遺品収納用モニュメントを提供することができる。
【図面の簡単な説明】
【００１９】
【図１】本考案の遺品収納用モニュメントの第１実施例を示す概略斜視図である。
【図２】概略平面図である。
【図３】透明カバーを透視した状態の概略斜視図である。
【図４】概略中央断面図である。
【図５】概略中央切断斜視図である。
【図６】透明カバーを透視した状態の概略中央切断斜視図である。
【図７】各部材の組み付け前の状態を示す概略中央切断斜視図である。
【図８】台座の凹部に収納する保護ケースの概略斜視図である。
【図９】蓋を開いた状態の保護ケースの概略斜視図である。
【図１０】蓋を閉じた状態の保護ケースの概略中央断面図である。
【図１１】透明カバー下部に着脱可能に棚部を取り付けた状態の概略中央切断斜視図である。
【図１２】各部材を組み立てるとともに、台座の凹部に保護ケースを、透明カバー内に装飾物を収納した状態を示す概略中央断面図である。
【図１３】本考案の遺品収納用モニュメントの第２実施例を示す概略中央断面図である。
【図１４】概略中央切断斜視図である。
【図１５】透明カバーを透視した状態の概略中央切断斜視図である。
【図１６】各部材の組み付け前の状態を示す概略中央切断斜視図である。
【考案を実施するための最良の形態】
【００２０】
以下、本考案の遺品収納用モニュメントの実施の形態を図面とともに詳細に説明する。
本考案の第１実施例を図１〜１２に基づいて説明する。
本実施例の遺品収納用モニュメントを示す図１〜７において、遺品収納用モニュメント１１は、記念品等を収納した後述の保護ケースを収納する凹部１３を備えた安定用の台座１２と、この台座１２上において前記凹部１３を覆うように保持され、前記保護ケース上に搭載した後述の装飾物を外から見えるようにした透明カバー１４とを備えている。そして、該透明カバー１４は前記台座１２の凹部１３周壁に形成した弾性リング１５を介して着脱自在にはめ込まれている。
【００２１】
保護ケースを収納する前記凹部１３を備えた台座１２は、墓石用の石材のはみ出し石材等を利用して、所望の重量を備えた安定した台座１２とすることができる。もちろん、前記石材のみならず金属や樹脂のブロックから切削あるいは成形の手段等によって凹部１３を形成することも可能である。
なお、前記凹部１３の周壁には弾性リング１５が取り付けてある。この弾性リング１５は、例えば変形可能な帯状テープ１５ａの片面に短毛を植設した植毛部１５ｂを備えており、前記帯状テープ１５ａを凹部１３の周壁に貼付して植毛部１５ｂを前記凹部１３周壁から内向きに突き出すように配置している。
したがって、前記透明カバー１４は前記台座１２の凹部１３周壁に形成した弾性リング１５を介して着脱自在にはめ込むことができる。
【００２２】
本実施例においては、記念品等を収納した保護ケースを収納する凹部１３を備えた安定用の台座１２と、この台座１２上において前記凹部１３を覆うように保持され、前記保護ケース上に搭載した装飾物を外から見えるようにした透明カバー１４とを備えているので、室内等の置物としての用途に適しており、またこの遺品収納用モニュメントを拝むことで心情的にも亡くなったペット等を身近に偲ぶことができる。
【００２３】
前記透明カバー１４としては、強化ガラスやアクリル樹脂等の耐衝撃性のある透明素材が好適であり、上部をアーチ状とした円筒状とすれば、後述する装飾物をどの向きからも美観に優れた状態で収納することができる。
もちろん、前記透明カバー１４の形状は円筒状のみならず、四角形、六角形断面等から適宜選択することもできる。
【００２４】
本実施例の遺品収納用モニュメント１１の組み付けに際しては、図７に示す分解状態から、前記安定用の台座１２の凹部１３底面に適宜装飾を施した底部シート１６を敷設し、前記透明カバー１４を前記台座１２の凹部１３周壁に形成した弾性リング１５を介して凹部１３内にはめ込む。図３〜図６はその結合状態を示すものである。
【００２５】
図８〜図１０は前記台座１２の凹部１３に収納する保護ケース２１を示すものである。
この記念品等を収納する保護ケース２１は、容器本体２２と該容器本体２２の外周に沿ってはめ込まれる側壁を有する蓋２４とを備えている。
なお、この容器本体２２の外周に形成されたフランジ部２３は、変形可能な帯状テープ２３ａの片面に短毛を植設した植毛部２３ｂを備えており、前記帯状テープ２３ａを容器本体２２外周の周壁に貼付して植毛部２３ｂを前記容器本体２２外周の周壁から外向きに突き出すように配置している。
したがって、前記容器本体２２の外周に形成されたフランジ部２３に蓋２４の下端を係合すれば、保護ケース２１内の容積を変えることができて記念品等の収納スペースを大幅に増やしあるいは調節することができ、かつ内容物のサイズの変化にも迅速に対応することが可能となった。
【００２６】
また、前記透明カバー１４は、その下部に着脱可能な棚部３１を備えていることが望ましい。
図１１において、この棚部３１は上面を構成する棚板部３１ａと、その外側から下向きに配設した下筒部３１ｂとで構成されており、また前記下筒部３１ｂ外周の下端には弾性リング３１ｃが取り付けられている。
したがって前記棚部３１は、前記透明カバー１４下端の開口部から上向きに押し込んで装着し、その上部に装飾物を搭載しておくことができる。
この棚部３１を前記透明カバー１４に取り付けておくことにより、装飾物の負荷が後述する保護ケース２１に掛からないようにして、記念品等を収納した保護ケース２１を確実に保護することができる。
【００２７】
図１２に、前記台座１２、底部シート１６、棚部３１を内装した透明カバー１４からなる各部材を組み立てるとともに、台座１２の凹部１３には保護ケース２１を収納し、また透明カバー１４内にはその棚部３１上に化粧シート３３を介して装飾物３２を搭載した状態を示す。前記化粧シート３３は、前記棚部３１上に敷設し、装飾物を違和感なく搭載するためのものであり、種々のモチーフやデザインを備えたものとすることができ、また化粧シート３３として人工芝等を用いることもできる。
このように、各部材が機能的にかつ安定して組み付けられているので、台座１２への透明カバー１４の取付がスムーズで運搬中にカタカタと耳障りな音のすることのない、非常に品質の高い遺品収納用モニュメント１１を提供することができるのである。
【００２８】
次に、本考案の第２実施例を図１３〜１６に基づいて説明する。
本実施例の遺品収納用モニュメント４１を示す図１３〜１６において、記念品等を収納した保護ケースを収納する凹部４３を備えた安定用の台座４２は、前記凹部４３の下部にさらに予備凹部４４を備え、前記凹部４３と予備凹部４４との段差４３ａに底部シート４５を保持させたものである。図において４６は透明カバーである。
【００２９】
以上のように、前記記念品等を収納した保護ケースを収納する凹部４３を備えた安定用の台座４２は、前記凹部４３の下部にさらに予備凹部４４を備え、前記凹部４３と予備凹部４４との段差４３ａに底部シート４５を保持させたため、より貴重な記念品類を予備凹部４４に収納することができ、記念品を分類して収納するのに適した遺品収納用モニュメント４１となる。
【００３０】
以上の説明において、前記装飾物３２は、プリザーブドフラワー、生花又は造化等であることが望ましい。
例えば前記プリザーブドフラワーは、６〜７年位はほぼ生花に近い状態でその花の美しさを保つので、長期間装飾物を交換することなく、美しい状態で遺品収納用モニュメントを飾ることができる。
【産業上の利用可能性】
【００３１】
前記各実施例では、遺品収納用モニュメント１１，４１を犬や猫、その他のペット等の記念品を飾り、あるいは亡くなったペットの遺骨や遺毛を祀るものとして用いた場合を説明したが、もちろんこれに限られることはなく、赤ちゃんの誕生祝いあるいは人の成長を示す記念品の収納用モニュメントとして用いることもできる。
【符号の説明】
【００３２】
１１  遺品収納用モニュメント
１２  台座
１３  凹部
１４  透明カバー
１５  弾性リング
１５ａ  帯状テープ
１５ｂ  植毛部
１６  底部シート
２１  保護ケース
２２  容器本体
２３  フランジ部
２３ａ  帯状テープ
２３ｂ  植毛部
２４  蓋
３１  棚部
３１ａ  棚板部
３１ｂ  下筒部
３１ｃ  弾性リング
３２  装飾物
３３  化粧シート
４１  遺品収納用モニュメント
４２  台座
４３  凹部
４４  予備凹部
４５  底部シート
４６  透明カバー
【図１】
0003216055.tif 000003
【図２】
0003216055.tif 000004
【図３】
0003216055.tif 000005
【図４】
0003216055.tif 000006
【図５】
0003216055.tif 000007
【図６】
0003216055.tif 000008
【図７】
0003216055.tif 000009
【図８】
0003216055.tif 000010
【図９】
0003216055.tif 000011
【図１０】
0003216055.tif 000012
【図１１】
0003216055.tif 000013
【図１２】
0003216055.tif 000014
【図１３】
0003216055.tif 000015
【図１４】
0003216055.tif 000016
【図１５】
0003216055.tif 000017
【図１６】
0003216055.tif 000018